(57)【要約】      （修正有）【課題】パネル部材の前端部及び後端部の各端部に各二個ずつ計四個形成された嵌着孔に連結部材に形成された嵌着部を嵌着することによりパネル部材を連結することができ、各パネル部材を容易に連結することができ、整理棚を容易に組み立てることができ、更に、各パネル部材の同一形状化及び複数個の連結部材のうちの各種形態の連結部材の同一形状化を図ることができ、使用の利便性及び製作コストの低減を図ることができる。【解決手段】複数個の四角板状のパネル部材１及びパネル部材を相互に連結する複数個の連結部材３からなり、パネル部材の前端部１ａ及び後端部１ｂの各端部に各二個ずつ計四個の嵌着孔２を形成し、連結部材に対向するパネル部材の各嵌着孔に嵌着可能な複数個の嵌着部４を形成し、更に、左右の両側端部１ｃ・１ｄに角度９０度の先細切欠部５を形成してなる。【選択図】図１
0003107485.tif 000002
【実用新案登録請求の範囲】
【請求項１】
複数個の四角板状のパネル部材及び該パネル部材を相互に連結する複数個の連結部材からなり、上記パネル部材の前端部及び後端部の各端部に各二個ずつ計四個の嵌着孔を形成し、上記連結部材に対向するパネル部材の各嵌着孔に嵌着可能な複数個の嵌着部を形成し、更に、該左右の両側端部に角度９０度の先細切欠部を形成してなることを特徴とする組立式整理棚。
【請求項２】
上記連結部材は略Ｌ状に形成され、上記嵌着孔に嵌着可能な二個の嵌着部が形成されていることを特徴とする請求項１記載の組立式整理棚。
【請求項３】
上記連結部材は略Ｔ状に形成され、上記嵌着孔に嵌着可能な三個の嵌着部が形成されていることを特徴とする請求項１又は２記載の組立式整理棚。
【請求項４】
上記連結部材は略十状に形成され、上記嵌着孔に嵌着可能な四個の嵌着部が形成されていることを特徴とする請求項１〜３のいずれか１項に記載の組立式整理棚。
【請求項５】
上記二個のパネル部材の側端部を相互にＬ状に突き合わせたとき各先細切欠部により形成される平坦凹部に被嵌可能な三角状の角用キャップ部材を設けてなることを特徴とする請求項１〜４のいずれか１項に記載の組立式整理棚。
【請求項６】
上記三個のパネル部材の側端部を相互にＴ状に突き合わせたとき各先細切欠部により形成される三角凹部に被嵌可能な面用キャップ部材を設けてなることを特徴とする請求項１〜５のいずれか１項に記載の組立式整理棚。
【考案の詳細な説明】
【技術分野】
【０００１】
本考案は例えば書籍や日用品、小物類を整理する際に用いられる組立式整理棚に関するものである。
【背景技術】
【０００２】
従来、この種の組立式整理棚として、複数個の四角板状のパネル部材を上下及び左右に配置し、これらパネル部材を連結部材としてのネジやダボにより連結して外枠体を形成し、この外枠体に上下に棚板を配置してなる構造のものが知られている。
【特許文献１】特開２００４−０５７７２７号公報
【考案の開示】
【考案が解決しようとする課題】
【０００３】
しかしながら上記従来構造の場合、パネル部材をネジやダボにより連結する構造となっているので、組立が面倒なことがあるという不都合を有している。
【課題を解決するための手段】
【０００４】
本考案はこれらの不都合を解決することを目的とするもので、本考案のうちで、請求項１記載の考案は、複数個の四角板状のパネル部材及び該パネル部材を相互に連結する複数個の連結部材からなり、上記パネル部材の前端部及び後端部の各端部に各二個ずつ計四個の嵌着孔を形成し、上記連結部材に対向するパネル部材の各嵌着孔に嵌着可能な複数個の嵌着部を形成し、更に、該左右の両側端部に角度９０度の先細切欠部を形成してなることを特徴とする組立式整理棚にある。
【０００５】
又、請求項２記載の考案は、上記連結部材は略Ｌ状に形成され、上記嵌着孔に嵌着可能な二個の嵌着部が形成されていることを特徴とするものであり、又、請求項３記載の考案は、上記連結部材は略Ｔ状に形成され、上記嵌着孔に嵌着可能な三個の嵌着部が形成されていることを特徴とするものであり、又、請求項４記載の考案は、上記連結部材は略十状に形成され、上記嵌着孔に嵌着可能な四個の嵌着部が形成されていることを特徴とするものである。
【０００６】
又、請求項５記載の考案は、上記二個のパネル部材の側端部を相互にＬ状に突き合わせたとき各先細切欠部により形成される平坦凹部に被嵌可能な三角状の角用キャップ部材を設けてなることを特徴とするものであり、又、請求項６記載の考案は、上記三個のパネル部材の側端部を相互にＴ状に突き合わせたとき各先細切欠部により形成される三角凹部に被嵌可能な面用キャップ部材を設けてなることを特徴とするものである。
【考案の効果】
【０００７】
本考案は上述の如く、請求項１記載の考案にあっては、複数個の四角板状のパネル部材及び該パネル部材を相互に連結する複数個の連結部材からなり、上記パネル部材の前端部及び後端部の各端部に各二個ずつ計四個の嵌着孔を形成し、上記連結部材に対向するパネル部材の各嵌着孔に嵌着可能な複数個の嵌着部を形成し、更に、該左右の両側端部に角度９０度の先細切欠部を形成してなるから、上記パネル部材の前端部及び後端部の各端部に各二個ずつ計四個形成された嵌着孔に連結部材に形成された嵌着部を嵌着することによりパネル部材を連結することができ、各パネル部材を容易に連結することができ、整理棚を容易に組み立てることができ、更に、各パネル部材の同一形状化及び複数個の連結部材のうちの各種形態の連結部材の同一形状化を図ることができ、使用の利便性及び製作コストの低減を図ることができる。
【０００８】
又、請求項２記載の考案にあっては、上記連結部材は略Ｌ状に形成され、上記嵌着孔に嵌着可能な二個の嵌着部が形成されているから、パネル部材が二個Ｌ状に交差する部位を確実に連結することができ、又、請求項３記載の考案にあっては、上記連結部材は略Ｔ状に形成され、上記嵌着孔に嵌着可能な三個の嵌着部が形成されているから、パネル部材が三個Ｔ状に交差する部位を確実に連結することができ、又、請求項４記載の考案にあっては、上記連結部材は略十状に形成され、上記嵌着孔に嵌着可能な四個の嵌着部が形成されているから、パネル部材が四個十状に交差する部位を確実に連結することができる。
【０００９】
又、請求項５記載の考案にあっては、二個のパネル部材の側端部を相互にＬ状に突き合わせたとき各先細切欠部により形成される平坦凹部に被嵌可能な三角状の角用キャップ部材を設けてなるから、各先細切欠部により形成される平坦凹部を角部状に覆うことができ、又、請求項６記載の考案にあっては、上記三個のパネル部材のを相互にＴ状に突き合わせたとき各先細切欠部により形成される三角凹部に被嵌可能な面用キャップ部材を設けてなるから、各先細切欠部により形成される三角凹部を平坦状に覆うことができる。
【考案を実施するための最良の形態】
【００１０】
図１乃至図１９は本考案の実施の形態例を示し、図１乃至図１５は第一形態例、図１６は第二形態例、図１７は第三形態例、図１８は第四形態例、図１９は第五形態例である。
【００１１】
図１乃至図１５の本考案の実施の第一形態例において、１はパネル部材であって、四角ブロック板状に形成され、この場合、合成樹脂成形され、図３の如く、前端部１ａ、後端部１ｂ、側端部１ｃ及び側端部１ｄからなる四角筒状にして内部に補強リブ１ｅが形成され、このパネル部材１の前端部１ａ及び後端部１ｂの各端部に各二個ずつ計四個の嵌着孔２・２・２・２を形成してなる。
【００１２】
３は連結部材であって、この場合、三種類の形態の連結部材Ｌ・Ｔ・Ｘからなり、それぞれ合成樹脂成形され、図６の如く、略Ｌ状に形成されて上記嵌着孔２・２に嵌着可能な二個の凸部状の嵌着部４・４が形成され、位置決め凸部Ｒを形成してなる同一形状の前後計１０個の連結部材Ｌと、図１２の如く、略Ｔ状に形成されて上記嵌着孔２・２・２に嵌着可能な三個の凸部状の嵌着部４・４・４が形成され、位置決め凸部Ｒを形成してなる同一形状の前後計四個の連結部材Ｔと、図９の如く、略十状に形成されて上記嵌着孔２・２・２・２に嵌着可能な四個の凸部状の嵌着部４・４・４が形成され、位置決め凸部Ｒを形成してなる同一形状の連結部材Ｘが前後計２個用いられ、即ち計１６個の連結部材が用いられ、パネル部材１の左右の両側端部１ｃ・１ｄに角度９０度の先細切欠部５を形成し、先細切欠部５に位置決め切欠部Ｍを形成している。
【００１３】
６は角用キャップ部材であって、この場合、合成樹脂成形され、図５の如く、平板長尺状にして両長手辺部にパネル部材１の側端部１ｃ・１ｄを開口して形成された係合縁部Ｋ・Ｋに着脱自在に係止可能な係止縁部６ａ、両端部の覆部６ｂ及び覆部６ｂに形成された位置決め切欠部Ｍからなり、上記二個のパネル部材１の側端部１ｃ・１ｄを相互にＬ状に突き合わせたとき各先細切欠部５・５により形成される平坦凹部Ｆに被嵌可能に形成されている。
【００１４】
７は面用キャップ部材であって、この場合、合成樹脂成形され、図４の如く、Ｌ板長尺状にして各長手辺部にパネル部材１の側端部１ｃ・１ｄを開口して形成された係合縁部Ｋ・Ｋに着脱自在に係止可能な係止縁部７ａ、両端部の覆部６ｂ及び両端部の覆部７ｂに形成された位置決め切欠部Ｍからなり、上記三個のパネル部材１の側端部を相互にＴ状に突き合わせたとき各先細切欠部５・５・５により形成される三角凹部Ｓに被嵌可能に形成されている。
【００１５】
この実施の第一形態例は上記構成であるから、図２の如く、パネル部材１を１０個、連結部材Ｌを１０個、連結部材Ｔを４個、連結部材Ｘを２個、角用キャップ部材６を５個、面用キャップ部材７を２個用意し、この１０個のパネル部材１の内、２個のパネル部材１を左右両側に側端部１ｃ・１ｄを突き合わせて横設すると共にこのパネル部材１の側端部１ｃ・１ｄに他の３個のパネル部材１の側端部１ｃを突き合わせて縦設し、更に、このパネル部材１の上方の側端部１ｄに他の二個のパネル部材１の側端部１ｃ・１ｄを突き合わせて横設し、かつ、このパネル部材１の側端部１ｄに突き合わせて二個のパネル部材１を縦設し、この二個のパネル部材１の側端部に突き合わせて１個のパネル部材１を横設し、そして、図６、図７、図８の如く、略Ｌ状に形成された連結部材Ｌを二個のパネル部材１が交差する角部位に存在する嵌着孔２・２に嵌着部４・４を嵌着し、位置決め切欠部Ｍに位置決め凸部Ｒを嵌着することにより二個のパネル部材１を連結し、かつ、図１２、図１３、図１４の如く、略Ｔ状に形成された連結部材Ｔを３個のパネル部材１が交差する部位に存在する嵌着孔２・２・２に嵌着部４・４・４を嵌着し、位置決め切欠部Ｍに位置決め凸部Ｒをすることにより３個のパネル部材１を連結し、更に、図９、図１０、図１１の如く、略十状に形成された連結部材Ｘを４個のパネル部材１が交差する部位に存在する嵌着孔２・２・２・２に嵌着部４・４・４・４を嵌着し、位置決め切欠部Ｍに位置決め凸部Ｒをすることにより４個のパネル部材１を連結し、更に、図６、図７、図８の如く、角用キャップ部材６を上記二個のパネル部材１の側端部１ｃ・１ｄを相互にＬ状に突き合わせたとき各先細切欠部５・５により形成される平坦凹部Ｆに被嵌し、図１２、図１３、図１４の如く、面用キャップ部材７を上記三個のパネル部材１の側端部を相互にＴ状に突き合わせたとき各先細切欠部５・５・５により形成される三角凹部Ｓに被嵌し、これにより、左右二個上下二段の三個の収納部Ｎをもつ整理棚を組み立てることができる。
【００１６】
従って、複数個のパネル部材１を横方向又は縦方向に配置し、連結部材３により各パネル部材１を連結することにより整理棚を組み立てることができ、上記パネル部材１の前端部１ａ及び後端部１ｂの各端部に各二個ずつ計四個形成された嵌着孔２に連結部材３に形成された嵌着部４を嵌着することによりパネル部材１を連結することができ、各パネル部材１を容易に連結することができ、整理棚を容易に組み立てることができ、更に、パネル部材１の両側端部に角度９０度の先細切欠部５を形成してなるから、各パネル部材１の側端部１ｃ・１ｄを突き合わせたときの突合交差点Ｐからの嵌着孔２までの距離Ｑを同一寸法にすることができ、このため、各パネル部材１の同一形状化及び連結部材３のうちの各種形態の連結部材Ｌ・Ｔ・Ｘの同一形状化を図ることができ、使用の利便性及び製作コストの低減を図ることができる。
【００１７】
この場合、上記連結部材３は略Ｌ状に形成され、上記嵌着孔２に嵌着可能な二個の嵌着部３が形成されているから、パネル部材１が二個Ｌ状に交差する部位を確実に連結することができ、又、この場合、上記連結部材３は略Ｔ状に形成され、上記嵌着孔２に嵌着可能な三個の嵌着部３が形成されているから、パネル部材が三個Ｔ状に交差する部位を確実に連結することができ、又、この場合、上記連結部材３は略十状に形成され、上記嵌着孔２に嵌着可能な四個の嵌着部３が形成されているから、パネル部材１が四個十状に交差する部位を確実に連結することができる。
【００１８】
又、この場合、二個のパネル部材１の側端部１ｃ・１ｄを相互にＬ状に突き合わせたとき各先細切欠部５により形成される平坦凹部Ｆに被嵌可能な三角状の角用キャップ部材６を設けてなるから、各先細切欠部５により形成される平坦凹部Ｆを角部状に覆うことができ、又、この場合、上記三個のパネル部材１の側端部１ｃ・１ｄを相互にＴ状に突き合わせたとき各先細切欠部５により形成される三角凹部Ｓに被嵌可能な面用キャップ部材７を設けてなるから、各先細切欠部５により形成される三角凹部Ｓを平坦状に覆うことができる。
【００１９】
図１６の第二形態例は別例構造を示し、この場合、パネル部材１を１２個、連結部材Ｌを８個、連結部材Ｔを８個、連結部材Ｘを２個、角用キャップ部材６を４個、面用キャップ部材７を４個用意し、この１２個のパネル部材１を横方向及び縦方向に配置し、パネル部材１を連結部材３としての連結部材Ｌ・Ｔ・Ｘにより連結し、更に、角用キャップ部材６及び面用キャップ部材７を平坦凹部Ｆ及び三角凹部Ｓに被嵌することにより左右二個二段の４個の収納部Ｎをもつ整理棚を組み立てることができる。
【００２０】
図１７の第三形態例は別例構造を示し、この場合、パネル部材１を１０個、連結部材Ｌを８個、連結部材Ｔを８個、角用キャップ部材６を４個、面用キャップ部材７を４個用意し、１０個のパネル部材１を横方向及び縦方向に配置し、パネル部材１を連結部材３としての連結部材Ｌ・Ｔにより連結し、更に、角用キャップ部材６及び面用キャップ部材７を平坦凹部Ｆ及び三角凹部Ｓに被嵌することにより上下三段の３個の収納部Ｎをもつ整理棚を組み立てることができる。
【００２１】
図１８の第四形態例は別例構造を示し、この場合、パネル部材１を１３個、連結部材Ｌを１２個、連結部材Ｔを４個、連結部材Ｘを４個、角用キャップ部材６を６個、面用キャップ部材７を２個用意し、１３個のパネル部材１を横方向及び縦方向に配置し、パネル部材１を連結部材３としての連結部材Ｌ・Ｔ・Ｘにより連結し、更に、角用キャップ部材６及び面用キャップ部材７を平坦凹部Ｆ及び三角凹部Ｓに被嵌することにより左右三個上下二段の四個の収納部Ｎをもつ整理棚を組み立てることができる。
【００２２】
図１９の第五形態例は別例構造を示し、この場合、パネル部材１を１６個、連結部材Ｌを１２個、連結部材Ｔを１２個、連結部材Ｘを４個、角用キャップ部材６を６個、面用キャップ部材７を４個用意し、１６個のパネル部材１を横方向及び縦方向に配置し、パネル部材１を連結部材３としての連結部材Ｌ・Ｔ・Ｘにより連結し、更に、角用キャップ部材６及び面用キャップ部材７を平坦凹部Ｆ及び三角凹部Ｓに被嵌することにより左右三個上下二段の四個の収納部Ｎをもつ整理棚を組み立てることができる。
【００２３】
これらの第二乃至第五形態例にあっては、上記第一形態例と同様な作用効果を得ることができると共に、上記第一形態例と同じパネル部材１及び連結部材３により組み立てることができる。
【００２４】
尚、本考案は上記実施の形態例に限られるものではなく、パネル部材１の数や形態、嵌着孔２、連結部材３、嵌着部４、先細切欠部５の形態等は適宜変更して設計されるものである。
【００２５】
以上、所期の目的を充分達成することができる。
【図面の簡単な説明】
【００２６】
【図１】本考案の実施の第一形態例の全体斜視図である。
【図２】本考案の実施の第一形態例の全体分解斜視図である。
【図３】本考案の実施の第一形態例のパネル部材の斜視図である。
【図４】本考案の実施の第一形態例の面用キャップ部材の斜視図である。
【図５】本考案の実施の第一形態例の角用キャップ部材の斜視図である。
【図６】本考案の実施の第一形態例の部分斜視図である。
【図７】本考案の実施の第一形態例の部分平断面図である。
【図８】本考案の実施の第一形態例の部分縦断面図である。
【図９】本考案の実施の第一形態例の部分斜視図である。
【図１０】本考案の実施の第一形態例の部分平断面図である。
【図１１】本考案の実施の第一形態例の部分縦断面図である。
【図１２】本考案の実施の第一形態例の部分斜視図である。
【図１３】本考案の実施の第一形態例の部分平断面図である。
【図１４】本考案の実施の第一形態例の部分縦断面図である。
【図１５】本考案の実施の第一形態例の全体正面図である。
【図１６】本考案の実施の第二形態例の全体正面図である。
【図１７】本考案の実施の第三形態例の全体正面図である。
【図１８】本考案の実施の第四形態例の全体正面図である。
【図１９】本考案の実施の第五形態例の全体正面図である。
【符号の説明】
【００２７】
Ｌ    連結部材
Ｔ    連結部材
Ｘ    連結部材
Ｆ    平坦凹部
Ｓ    三角凹部
１    パネル部材
１ａ    前端部
１ｂ    後端部
１ｃ    側端部
１ｄ    側端部
２    嵌着孔
３    連結部材
４    嵌着部
５    先細切欠部
６    角用キャップ部材
７    面用キャップ部材
【図１】
0003107485.tif 000003
【図２】
0003107485.tif 000004
【図３】
0003107485.tif 000005
【図４】
0003107485.tif 000006
【図５】
0003107485.tif 000007
【図６】
0003107485.tif 000008
【図７】
0003107485.tif 000009
【図８】
0003107485.tif 000010
【図９】
0003107485.tif 000011
【図１０】
0003107485.tif 000012
【図１１】
0003107485.tif 000013
【図１２】
0003107485.tif 000014
【図１３】
0003107485.tif 000015
【図１４】
0003107485.tif 000016
【図１５】
0003107485.tif 000017
【図１６】
0003107485.tif 000018
【図１７】
0003107485.tif 000019
【図１８】
0003107485.tif 000020
【図１９】
0003107485.tif 000021